(57)【特許請求の範囲】
【請求項１】
ショートデータバースト（ＳＤＢ）サービスをサポートするための方法であって、
モバイル発信（ＭＯ）ＳＤＢインジケータを含む、無線リソース制御（ＲＲＣ）接続要求メッセージを、ユーザ機器（ＵＥ）からシグナリング無線ベアラチャネルを介して進化型ノード（ｅＮＢ）において受信することと、
ＲＲＣ接続要求メッセージに応答して、ＲＲＣ接続セットアップメッセージを、ｅＮＢからＵＥへと送信することと、
アップリンクの非アクセス層（ＮＡＳ）メッセージを含む、ＲＲＣ接続セットアップ完了メッセージを、ＵＥからｅＮＢにおいて受信することであって、アップリンクのＮＡＳメッセージがＭＯ  ＳＤＢコンテンツとＭＯ  ＳＤＢインジケータとを更に含む、受信することと、
ＭＯ  ＳＤＢコンテンツおよびインジケータを有するＮＡＳメッセージと、イニシャルＵＥメッセージとを、ｅＮＢからモビリティ管理エンティティ（ＭＭＥ）へと転送することと、
ＭＯ  ＳＤＢインジケータフラグを含む、イニシャルコンテキストセットアップ要求メッセージを、ＭＭＥからｅＮＢにおいて受信することと、
ＲＲＣ接続解放メッセージを、ｅＮＢからＵＥへと送出することと、
ＳＤＢ配信インジケータを含む、ＵＥコンテキスト解放要求メッセージを、ｅＮＢからＭＭＥへと送出することと
を含む、方法。
【請求項２】
ショートデータバースト（ＳＤＢ）サービスをサポートするために、ロングタームエボリューション（ＬＴＥ）ネットワークの容量を管理するための方法であって、
無線リソース制御（ＲＲＣ）接続要求メッセージを、ユーザ機器（ＵＥ）からシグナリング無線ベアラチャネルを介して進化型ノード（ｅＮＢ）において受信し、無線リソース制御（ＲＲＣ）接続要求メッセージは、モバイル発信（ＭＯ）ＳＤＢインジケータを含まないことと、
ＲＲＣ接続セットアップメッセージを、ｅＮＢからＵＥへと送信することと、
アップリンクの非アクセス層（ＮＡＳ）メッセージを含む、ＲＲＣ接続セットアップ完了メッセージを、ＵＥからｅＮＢにおいて受信することであって、アップリンクのＮＡＳメッセージがＳＤＢコンテンツを更に含む、受信することと、
ＳＤＢコンテンツを有するＮＡＳメッセージを、ｅＮＢからモビリティ管理エンティティ（ＭＭＥ）へと転送することと、
ＳＤＢ配信インジケータを含む、ＵＥコンテキスト解放命令メッセージを、ＭＭＥからｅＮＢにおいて受信することと
を含む、方法。
【請求項３】
ショートデータバースト（ＳＤＢ）サービスをサポートするために、ロングタームエボリューション（ＬＴＥ）ネットワークの容量を管理するためのシステムであって、
モバイル発信（ＭＯ）ＳＤＢインジケータを含む、無線リソース制御（ＲＲＣ）接続要求メッセージを、ユーザ機器（ＵＥ）からシグナリング無線ベアラチャネルを介して受信することと、
ＲＲＣ接続セットアップメッセージを、ＵＥへと送信することと、
アップリンクの非アクセス層（ＮＡＳ）メッセージを含むＲＲＣ接続セットアップ完了メッセージをＵＥから受信することであって、アップリンクのＮＡＳメッセージがＭＯ  ＳＤＢコンテンツとＭＯ  ＳＤＢインジケータとを更に含む、受信することと、
ＭＯ  ＳＤＢコンテンツおよびインジケータを有するＮＡＳメッセージと、イニシャルＵＥメッセージとを、モビリティ管理エンティティ（ＭＭＥ）へと転送することと、
ＭＯ  ＳＤＢインジケータフラグを含む、イニシャルコンテキストセットアップ要求メッセージを、ＭＭＥから受信することと、
ＲＲＣ接続解放メッセージを、ＵＥへと送出することと、
ＳＤＢ配信インジケータを含む、ＵＥコンテキスト解放要求メッセージを、ＭＭＥへと送出することと
を行うように動作可能な進化型ノード（ｅＮＢ）
を含む、システム。
【請求項４】
ＭＯ  ＳＢインジケータフラグを含むイニシャルコンテキストセットアップ要求メッセージをｅＮＢへと送出するように動作可能なＭＭＥを更に含む、請求項３に記載のシステム。
【請求項５】
ｅＮＢが、
ＵＥコンテキスト解放命令メッセージを、ＭＭＥから受信することと、
ＵＥコンテキスト解放完了メッセージを、ＭＭＥへと送出することと
を更に行うように動作可能な、請求項３に記載のシステム。
【請求項６】
ｅＮＢが、機能インジケータを含むメッセージを送信することを行うように更に動作可能であり、機能インジケータが、ｅＮＢがＳＤＢ容量を最適化できることを示す、請求項３に記載のシステム。
【請求項７】
機能インジケータを含む送信されたメッセージをｅＮＢから受信することを行うように動作可能なＵＥを更に含み、機能インジケータが、ｅＮＢがＳＤＢ容量を最適化できることを示す、請求項３に記載のシステム。
【請求項８】
ＵＥによってアップリンクのＮＡＳメッセージでｅＮＢへと送信されることになるデータ量が閾値を超えるという決定に基づき、ＭＯ  ＳＤＢインジケータを含まないＲＲＣ接続要求メッセージをｅＮＢへと送信するように動作可能なＵＥを更に含み、ｅＮＢが、ＲＲＣ接続をセットアップするために呼受付制御メッセージを完了するように更に動作可能である、請求項３に記載のシステム。
【請求項９】
ｅＮＢが、
ダウンリンクの確認応答ＮＡＳメッセージを受信することと、
ダウンリンクの確認応答ＮＡＳメッセージが設定可能な時間期間内にＭＭＥから受信されたという決定に基づき、ＲＲＣ接続解放メッセージをＵＥへと送出するに先立ち、ダウンリンクの確認応答ＮＡＳメッセージをＵＥへと転送することと
を更に行うように動作可能な、請求項３に記載のシステム。
【請求項１０】
ショートデータバースト（ＳＤＢ）サービスをサポートするために、ロングタームエボリューション（ＬＴＥ）ネットワークの容量を管理するためのシステムであって、
無線リソース制御（ＲＲＣ）接続要求メッセージを、ユーザ機器（ＵＥ）からシグナリング無線ベアラチャネルを介して受信し、無線リソース制御（ＲＲＣ）接続要求メッセージは、モバイル発信（ＭＯ）ＳＤＢインジケータを含まないことと、
ＲＲＣ接続セットアップメッセージを、ＵＥへと送信することと、
アップリンクの非アクセス層（ＮＡＳ）メッセージを含むＲＲＣ接続セットアップ完了メッセージをＵＥから受信することであって、アップリンクのＮＡＳメッセージがＳＤＢコンテンツを更に含む、受信することと、
ＳＤＢコンテンツを有するＮＡＳメッセージを、モビリティ管理エンティティ（ＭＭＥ）へと転送することと、
ＳＤＢ配信インジケータを含む、ＵＥコンテキスト解放命令メッセージを、ＭＭＥから受信することと
を行うように動作可能な進化型ノード（ｅＮＢ）
を含む、システム。
【発明の詳細な説明】
【技術分野】
【０００１】
本発明は、ワイヤレスネットワークの容量を管理するための方法および関連システムに関する。
【背景技術】
【０００２】
ショートデータバースト（ＳＤＢ）通信を送受信するために既存のロングタームエボリューション（ＬＴＥ）ベースのネットワーク（略して「ＬＴＥネットワーク」）を使用することは一般に、完全な無線リソース接続（「ＲＲＣ接続」）に関する初期確立（「セットアップ」と呼ばれる）、構成、および解放を必要とする。こうしたセットアップ、構成、および解放処理は、エンドユーザデバイスとＬＴＥネットワークの間で大量のデータのやり取りが必要な場合であれば効率的なものとなり得るが、やり取りする必要のあるデータが比較的少量の場合には、極めて非効率的なものとなる。後者のように比較的少量のデータ交換が必要とされるのは、通常、ＳＤＢ通信を利用するアプリケーションやサービス（「ＳＤＢサービス」または「ＳＤＢ通信」と総称される）を目的とする場合である。
【０００３】
ＳＤＢサービスに向けた、完全なＲＲＣ接続のセットアップ、構成、および解放という要件を回避するために、一部のＬＴＥネットワークプロバイダは、ＲＲＣ接続を単純に維持する（即ち、解放しない）といったやり方を採用している。しかし、このやり方は、プロバイダがネットワークリソースの中でも特に、貴重な帯域幅や処理をこうした接続を維持するために割り当てることを依然として必要とする。更に悪いことに、このようなＲＲＣ接続は、幾度となくアイドル状態（即ち、不使用）となる。
【発明の概要】
【課題を解決するための手段】
【０００４】
本発明の様々な実施形態によれば、ＳＤＢサービスをサポートしながら、ＬＴＥネットワークリソースを効率的に使用する方法およびシステムが提供される。更に、本明細書に記述する方法およびシステムは、ＬＴＥネットワークの容量が最大化され得るように、こうしたリソースが極めて効率的に使用されることを可能とし得るものと考えられる。
【０００５】
一実施形態では、ＳＤＢサービスをサポートするために、ＬＴＥネットワークの容量を管理するための方法が、モバイル発信（ｍｏｂｉｌｅ  ｏｒｉｇｉｎａｔｅｄ：ＭＯ）ＳＤＢインジケータを含むＲＲＣ接続要求メッセージを、ユーザ機器（ＵＥ）からシグナリング無線ベアラチャネルを介して進化型ノード（ｅＮＢ）において受信することと、ＲＲＣ接続要求メッセージに応答して、ＲＲＣ接続セットアップメッセージを、ｅＮＢからＵＥへと送信することと、アップリンクの非アクセス層（ＮＡＳ）メッセージを含む、ＲＲＣ接続セットアップ完了メッセージを、ＵＥからｅＮＢにおいて受信することであって、アップリンクのＮＡＳメッセージがＭＯ  ＳＤＢコンテンツとＭＯ  ＳＤＢインジケータとを更に含む、受信することと、ＭＯ  ＳＤＢコンテンツおよびインジケータを有するＮＡＳメッセージと、イニシャルＵＥメッセージとを、ｅＮＢからモビリティ管理エンティティ（ＭＭＥ）へと転送することと、ＭＯ  ＳＤＢインジケータフラグを含む、イニシャルコンテキストセットアップ要求メッセージを、ＭＭＥからｅＮＢにおいて受信することと、ＲＲＣ接続解放メッセージを、ｅＮＢからＵＥへと送出することと、ＳＤＢ配信インジケータを含む、ＵＥコンテキスト解放要求メッセージを、ｅＮＢからＭＭＥへと送出することとを含み得る。この例示的方法は、以下のような追加の処理を１つまたは複数、更に含み得る：（ｉ）ＭＯ  ＳＢインジケータフラグを含む、イニシャルコンテキストセットアップ要求メッセージを、ＭＭＥからｅＮＢへと送出すること。（ｉｉ）ＵＥコンテキスト解放命令メッセージを、ＭＭＥからｅＮＢにおいて受信し、ＵＥコンテキスト解放完了メッセージを、ｅＮＢからＭＭＥへと送出すること。（ｉｉｉ）機能インジケータを含むメッセージを、ｅＮＢから送信することであって、機能インジケータが、ｅＮＢがＳＤＢ容量を最適化できることを示す、送信すること。（ｉｖ）機能インジケータを含む、送信されたメッセージを、ＵＥにおいて受信することであって、機能インジケータが、ｅＮＢがＳＤＢ容量を最適化できることを示す、受信すること。（ｖ）ＲＲＣ接続要求メッセージを、ＵＥからｅＮＢへと、シグナリング無線ベアラチャネルを用いて送信すること、ＲＲＣ接続セットアップメッセージを、ｅＮＢからＵＥにおいて受信すること、および、アップリンクのＮＡＳメッセージを含む、ＲＲＣ接続セットアップ完了メッセージを、ＵＥからｅＮＢへと送信することであって、アップリンクのＮＡＳメッセージがＭＯ  ＳＤＢコンテンツとＭＯ  ＳＤＢインジケータとを更に含む、送信すること。（ｖｉ）ＵＥによってアップリンクのＮＡＳメッセージでｅＮＢへと送信されることになるデータ量が閾値を超えるという決定に基づき、ＭＯ  ＳＤＢインジケータを含まないＲＲＣ接続要求メッセージを、ＵＥからｅＮＢへと送信し、ＲＣ接続をセットアップするために呼受付制御メッセージを完了すること。（ｖｉｉ）ダウンリンクの確認応答ＮＡＳメッセージを、ｅＮＢにおいて受信すること、および、ダウンリンクの確認応答ＮＡＳメッセージが設定可能な時間期間内にＭＭＥから受信されたという決定に基づき、ＲＲＣ接続解放メッセージをＵＥへと送出するに先立ち、ダウンリンクの確認応答ＮＡＳメッセージをｅＮＢからＵＥへと転送することであって、設定可能な時間期間が１秒から３秒までの期間の範囲を含み得る、転送すること。
【０００６】
本発明の別の実施形態では、ＳＤＢサービスをサポートするためにＬＴＥネットワークの容量を管理するための方法が、以下の動作を含み得る：ＲＲＣ接続要求メッセージを、ＵＥから、シグナリング無線ベアラチャネルを介し、ｅＮＢにおいて受信すること。ｅＮＢからＵＥへとＲＲＣ接続セットアップメッセージを送信すること。ＮＡＳメッセージを含むＲＲＣ接続セットアップ完了メッセージを、ＵＥからｅＮＢにおいて受信することであって、ＮＡＳメッセージが、ＳＤＢコンテンツを更に含む、受信すること。ＳＤＢコンテンツを有するＮＡＳメッセージを、ｅＮＢからＭＭＥへと転送すること。ＳＤＢ配信インジケータを含むＵＥコンテキスト解放命令メッセージを、ＭＭＥからｅＮＢにおいて受信すること。本方法は、以下のような追加の処理を１つまたは複数、更に含み得る：（ｉ）ＲＲＣ接続解放メッセージを、ｅＮＢからＵＥへと送出し、ＵＥコンテキスト解放完了メッセージを、ｅＮＢからＭＭＥへと送出すること。（ｉｉ）シグナリング無線ベアラチャネルを用いて、ＲＲＣ接続要求メッセージを、ＵＥからｅＮＢへと送信すること、ＲＲＣ接続セットアップメッセージを、ｅＮＢから、ＵＥにおいて受信すること、および、アップリンクのＮＡＳメッセージを含むＲＲＣ接続セットアップ完了メッセージを、ＵＥからｅＮＢへと送信することであって、アップリンクのＮＡＳメッセージがＳＤＢコンテンツを更に含む、送信すること。（ｉｉｉ）ダウンリンクの確認応答ＮＡＳメッセージを、ｅＮＢにおいて受信すること、および、ダウンリンクの確認応答ＮＡＳメッセージが設定可能な時間期間内にＭＭＥから受信されたという決定に基づき、ＲＲＣ接続解放メッセージをＵＥへと送出するに先立ち、ダウンリンクの確認応答ＮＡＳメッセージをｅＮＢからＵＥへと転送することであって、先と同様、設定可能な時間期間が１秒から３秒までの期間の範囲を含み得る、転送すること。（ｉｖ）アップリンクのＮＡＳメッセージでＵＥからｅＮＢへと送信されることになると推定されるデータ量が閾値を超えないということをＭＭＥにおいて決定し、ＳＤＢ配信インジケータを含むＵＥコンテキスト解放命令メッセージを、ＭＭＥからｅＮＢへと送信すること。（ｖ）プロファイルと、ＵＥからｅＮＢへと以前に送信されたデータ量の測定値の概要とを含むデータベースにアクセスすること、および、アップリンクのＮＡＳメッセージでＵＥからｅＮＢへと送信されることになると推定されるデータ量が閾値を超えないと決定することであって、ＵＥが閾値を下回るデータを実質的に常時送信し得る、決定すること。
【０００７】
更に別の実施形態では、ＳＤＢサービスをサポートするためにＬＴＥネットワークの容量を管理するための方法が、以下の動作を含み得る：ＳＤＢ型インジケータを含むページングメッセージを、ＭＭＥから、ｅＮＢにおいて受信すること。ＳＤＢ型インジケータを含むｅＮＢページングメッセージを、ｅＮＢページングエリア内、かつＭＭＥの追跡エリア内で、ｅＮＢからＵＥへと送信すること。ＲＲＣ接続要求メッセージを、ＵＥから、シグナリング無線ベアラチャネルを介して受信すること。ＲＲＣ接続セットアップメッセージを、ｅＮＢからＵＥへと送信すること。ＲＲＣ接続セットアップ完了メッセージを、ＵＥから受信すること。イニシャルＵＥメッセージを、ＭＭＥへと送出すること。ＳＤＢコンテンツを含むダウンリンクのＮＡＳメッセージを、ＭＭＥから受信すること。ダウンリンクのＮＡＳメッセージを、ＵＥへと転送すること。ＵＥコンテキスト解放命令メッセージを、ＭＭＥから受信すること。ＲＲＣ接続解放メッセージを、ＵＥへと送出すること。ＵＥコンテキスト解放完了メッセージを、ＭＭＥへと送出すること。本方法は、以下のような追加の処理を１つまたは複数、更に含み得る：（ｉ）アップリンクの確認応答（ＡＣＫ）ＮＡＳメッセージを、ＵＥからｅＮＢにおいて受信すること、および、アップリンクのＡＣＫ  ＮＡＳメッセージが設定可能な時間期間内にＵＥから受信されたという決定に基づき、ＲＲＣ接続解放メッセージをＵＥへと送出するに先立ち、アップリンクのＡＣＫ  ＮＡＳメッセージをＭＭＥへと転送することであって、設定可能な時間期間が１秒から３秒までの時間期間の範囲を含み得る、転送すること。
【０００８】
更に別の実施形態では、ＳＤＢサービスをサポートするためにＬＴＥネットワークの容量を管理するための方法が、以下の動作を含み得る：閾値を設定するために、ＳＤＢ型データの受信が可能なＵＥのプロファイルを含むデータベースにアクセスすること。保留データ量が閾値を下回るかどうかを、ＭＭＥにおいて判定すること。保留データ量が閾値を下回るというＭＭＥにおける判定に基づき、ＳＤＢインジケータを用いることなく、保留データをＳＤＢ型データとしてｅＮＢから特定のＵＥへと送出することであって、閾値が、プロファイルされたＵＥへと送出されたデータ量に関連付けられ得る、送出すること。本方法は、初めにイニシャルコンテキストセットアップ要求メッセージをｅＮＢへと送出することなく、ＵＥコンテキスト解放命令メッセージを、ＭＭＥからｅＮＢへと送出することを、追加的に含み得る。
【０００９】
上に記載した方法に加え、本発明は、こうした処理を完了するためのシステムも規定する。一実施形態では、ＳＤＢサービスをサポートするためにＬＴＥネットワークの容量を管理するためのシステムが、例えば、ＭＯ  ＳＤＢインジケータを含むＲＲＣ接続要求メッセージを、ＵＥから、シグナリング無線ベアラチャネルを介して受信することと、ＲＲＣ接続セットアップメッセージを、ＵＥへと送信することと、ＮＡＳメッセージを含むＲＲＣ接続セットアップ完了メッセージをＵＥから受信することであって、ＮＡＳメッセージが、ＭＯ  ＳＤＢコンテンツと、ＭＯ  ＳＤＢインジケータとを更に含む、受信することと、ＭＯ  ＳＤＢコンテンツおよびインジケータを有するＮＡＳメッセージとイニシャルＵＥメッセージとを、ＭＭＥへと転送することと、ＭＯ  ＳＤＢインジケータフラグを含む、イニシャルコンテキストセットアップ要求メッセージを、ＭＭＥから受信することと、ＲＲＣ接続解放メッセージを、ＵＥへと送出することと、ＳＤＢ配信インジケータを含む、ＵＥコンテキスト解放要求メッセージを、ＭＭＥへと送出することとを行うように動作可能なｅＮＢを含む。
【００１０】
こうしたシステムは、ＭＯ  ＳＤＢインジケータフラグを含むイニシャルコンテキストセットアップ要求メッセージをｅＮＢへと送出するように動作可能なＭＭＥと、以下の動作を行うように動作可能なＵＥとを、追加的に含み得る：（ｉ）機能インジケータを含む送信されたメッセージを、ｅＮＢから受信することであって、機能インジケータが、ｅＮＢがＳＤＢ容量を最適化できることを示す、受信すること。（ｉｉ）シグナリング無線ベアラチャネルを用いて、ＲＲＣ接続要求メッセージを、ｅＮＢへと送信すること、ＲＲＣ接続セットアップメッセージを、ｅＮＢから受信すること、および、アップリンクのＮＡＳメッセージを含むＲＲＣ接続セットアップ完了メッセージを、ｅＮＢへと送信することであって、アップリンクのＮＡＳメッセージが、ＭＯ  ＳＤＢコンテンツおよびＭＯ  ＳＤＢインジケータを更に含む、送信すること。（ｉｉｉ）ＵＥによってアップリンクのＮＡＳメッセージでｅＮＢへと送信されることになるデータ量が閾値を超えるという決定に基づき、ＭＯ  ＳＤＢインジケータを含まないＲＲＣ接続要求メッセージをｅＮＢへと送信することであって、ｅＮＢが、ＲＲＣ接続をセットアップするために呼受付制御メッセージを完了するように更に動作可能である、送信すること。
【００１１】
本発明によるｅＮＢは、以下のことを更に行うように動作可能なものとなり得る：（ｉ）ＵＥコンテキスト解放命令メッセージを、ＭＭＥから受信すること、および、ＵＥコンテキスト解放完了メッセージを、ＭＭＥへと送出すること。（ｉｉ）ｅＮＢがＳＤＢ容量を最適化できることを示す機能インジケータを含むメッセージを送信すること。（ｉｉｉ）ダウンリンクの確認応答ＮＡＳメッセージを受信すること、および、ダウンリンクのＡＣＫ  ＮＡＳメッセージが設定可能な時間期間内にＭＭＥから受信されたという決定に基づき、ＲＲＣ接続解放メッセージをＵＥへと送出するに先立ち、ダウンリンクの確認応答ＮＡＳメッセージをＵＥへと転送することであって、設定可能な時間期間が１秒から３秒までの期間の範囲を含む、転送すること。
【００１２】
別の実施形態では、ＳＤＢサービスをサポートするためにＬＴＥネットワークの容量を管理するためのシステムが、ＲＲＣ接続要求メッセージを、ＵＥから、シグナリング無線ベアラチャネルを介して受信することと、ＲＲＣ接続セットアップメッセージを、ＵＥへと送信することと、アップリンクのＮＡＳメッセージを含むＲＲＣ接続セットアップ完了メッセージをＵＥから受信することであって、アップリンクのＮＡＳメッセージがＳＤＢコンテンツを更に含む、受信することと、ＳＤＢコンテンツを有するＮＡＳメッセージを、ＭＭＥへと転送することと、ＳＤＢ配信インジケータを含むＵＥコンテキスト解放命令メッセージを、ＭＭＥから受信することとを行うように動作可能なｅＮＢを含み得る。このｅＮＢは、以下のことを追加的に行うように動作可能なものとなり得る：（ｉ）ＲＲＣ接続解放メッセージを、ＵＥへと送出すること、および、ＵＥコンテキスト解放完了メッセージを、ＭＭＥへと送出すること。（ｉｉ）ダウンリンクの確認応答ＮＡＳメッセージを受信すること、および、ダウンリンクの確認応答ＮＡＳメッセージが設定可能な時間期間内にＭＭＥから受信されたという決定に基づき、ＲＲＣ接続解放メッセージをＵＥへと送出するに先立ち、ダウンリンクの確認応答ＮＡＳメッセージをＵＥへと転送することであって、設定可能な時間期間が１秒から３秒までの期間の範囲を含む、転送すること。
【００１３】
本システムは、シグナリング無線ベアラチャネルを用いて、ＲＲＣ接続要求メッセージをｅＮＢへと送信することと、ＲＲＣ接続セットアップメッセージを、ｅＮＢから受信することと、アップリンクのＮＡＳメッセージを含むＲＲＣ接続セットアップ完了メッセージをｅＮＢへと送信することであって、アップリンクのＮＡＳメッセージがＳＤＢコンテンツを更に含む、送信することとを行うように動作可能なＵＥを更に備え得るものであり、このＵＥは、閾値を下回るデータを実質的に常時送信するように動作可能なものとなり得る。
【００１４】
更に、本システムは、アップリンクのＮＡＳメッセージでＵＥからｅＮＢへと送信されることになると推定されるデータ量が閾値を超えないと決定することと、ＳＤＢ配信インジケータを含むＵＥコンテキスト解放命令メッセージをｅＮＢへと送信することとを行うように動作可能なＭＭＥを含み得る。このＭＭＥは、以下のことを更に行うように動作可能なものとなり得る：プロファイルと、ＵＥからｅＮＢへと以前に送信されたデータ量の測定値の概要とを含むデータベースにアクセスすること。アップリンクのＮＡＳメッセージでＵＥからｅＮＢへと送信されることになると推定されるデータ量が閾値を超えないと決定すること。
【００１５】
更に別の実施形態では、ＳＤＢサービスをサポートするためにＬＴＥネットワークの容量を管理するためのシステムが、ＳＤＢ型インジケータを含むページングメッセージをＭＭＥから受信することと、ＳＤＢ型インジケータを含むｅＮＢページングメッセージを、ｅＮＢページングエリア内、かつＭＭＥの追跡エリア内でＵＥへと送信することと、ＲＲＣ接続要求メッセージを、ＵＥから、シグナリング無線ベアラチャネルを介して受信することと、ＲＲＣ接続セットアップメッセージを、ＵＥへと送信することと、ＲＲＣ接続セットアップ完了メッセージを、ＵＥから受信することと、イニシャルＵＥメッセージを、ＭＭＥへと送出することと、ＳＤＢコンテンツを含むダウンリンクのＮＡＳメッセージを、ＭＭＥから受信することと、ダウンリンクのＮＡＳメッセージを、ＵＥへと転送することと、ＵＥコンテキスト解放命令メッセージを、ＭＭＥから受信することと、ＲＲＣ接続解放メッセージを、ＵＥへと送出することと、ＵＥコンテキスト解放完了メッセージを、ＭＭＥへと送出することとを行うように動作可能なｅＮＢノードを含み得る。このｅＮＢは、アップリンクのＡＣＫ  ＮＡＳメッセージを、ＵＥから受信することと、アップリンクのＡＣＫ  ＮＡＳメッセージが設定可能な時間期間内にＵＥから受信されたという決定に基づき、ＲＲＣ接続解放メッセージをＵＥへと送出するに先立ち、アップリンクのＡＣＫ  ＮＡＳメッセージをＭＭＥへと転送することであって、設定可能な時間期間が１秒から３秒までの時間期間の範囲を含み得る、転送することとを更に行うように動作可能なものとなり得る。
【００１６】
更に別の実施形態では、ＳＤＢサービスをサポートするためにＬＴＥネットワークの容量を管理するためのシステムが：
閾値を設定するために、ＳＤＢ型データの受信が可能なＵＥのプロファイルを含むデータベースにアクセスすること、および、保留データ量が閾値を下回るかどうかを判定することを行うように動作可能なＭＭＥと、保留データ量が閾値を下回るという判定に基づき、ＳＤＢインジケータを用いることなく、保留データをＳＤＢ型データとして特定のＵＥへと送出するように動作可能なｅＮＢであって、閾値が、プロファイルされたＵＥへと送出されたデータ量に関連付けられたものである、ｅＮＢとを含み得る。このＭＭＥは、初めにイニシャルコンテキストセットアップ要求メッセージをｅＮＢへと送出することなく、ＵＥコンテキスト解放命令メッセージをｅＮＢへと送出するように、更に動作可能なものとなり得る。
【００１７】
追加の実施形態、および記述した発明の様々な実施形態が持つ特徴は、以下の詳細な記述および添付図面から明らかになろう。
【図面の簡単な説明】
【００１８】
【図１】ＬＴＥネットワークによって使用される、従来のＲＲＣセットアップ、構成、および解放処理によるメッセージング構造を示す図である。
【図２】本発明のある実施形態によるシステムを示す簡易ブロック図である。
【図３】本発明のある実施形態によるメッセージング構造を示す図である。
【図４】本発明の別の実施形態によるメッセージング構造を示す図である。
【図５】本発明の更に別の実施形態によるメッセージング構造を示す図である。
【発明を実施するための形態】
【００１９】
ＬＴＥネットワーク内でＳＤＢサービスを提供するための方法およびシステムについて、その例示的実施形態が本明細書にて詳細に記述され、各図面に例示される。以下の記述および各図面の全体を通じて、同様の参照番号／符号は、同様の要素を表している。
【００２０】
本明細書では、特定の例示的実施形態について検討されるが、本発明の範囲をかかる実施形態に限定する意図はないことを理解されたい。それどころか、本明細書で検討される例示的実施形態は例示であり、本発明の範囲から逸脱することなく、修正された実施形態や、代替的な実施形態が実装され得ることを理解されたい。
【００２１】
同様に、本明細書に開示する特定の構造的および機能的詳細は、例示的実施形態を記述するための、単なる見本に過ぎない。但し、本明細書に記述される発明は、多数の代替形態で実施され得、本明細書に記載の実施形態のみに限定されるものと解釈されてはならない。
【００２２】
幾つかの例示的実施形態は、メッセージング構造として描写される処理または方法として説明可能であることに留意されたい。メッセージング構造は、メッセージを連続的なものとして描写し得るが、そのメッセージの多くは、並列的、並行的、または同時的に実行され得るものである。加えて、各メッセージの順序は、再編成され得る。更に、メッセージング構造は、完了時に終了され得、かつ／または、同メッセージング構造に含まれない追加のメッセージを含み入れることも可能である。
【００２３】
本明細書で使用する、「および／または」という語は、列挙される関連項目のうちの１つ、または複数について、その任意の組合せ、および全ての組合せを包含している。ネットワークのある要素が、別の要素と通信中であると記述されるか、別の要素と通信中または接続中であると描写される場合、別段の断りのない限り、当該の要素は、その別の要素と直接通信を確立している、または直接的に接続されている可能性もあれば、その別の要素と間接的に通信しており、かつ／または間接的に接続されている可能性もある（即ち、介在要素が存在し得る）ということを理解されたい。要素間またはコンポーネント間の通信的、接続的、または空間的関係を記述するのに用いられる他の言葉も、同様に解釈されたい。別段の断りのない限り、または議論から明白な場合、ＬＴＥネットワークの各要素（例えば、ＵＥ、ｅＮＢ、ＭＭＥ、ゲートウェイ、など）は、ハードウェアコントローラやサーバ、プロセッサかあるいは、類似の電子コンピューティングデバイスなどのコンピューティングデバイスを少なくとも１つ以上備え、これらは、本発明の特徴、機能、メッセージ、方法、および処理（例えば、ＬＴＥネットワークの要素間におけるメッセージの送信、受信、および／または交換）を実装および／または完了するために、例えば、同コンピューティングデバイスの関連レジスタ、メモリ、他の情報ストレージ、およびコンピュータ可読媒体（総じて「メモリ」と略す）に記憶された命令にアクセスし、それを実行するように動作可能なものとなり得ることを理解されたい。更に、こうしたコンピューティングデバイスは、メモリ内で物理的、電子的な量として表されるデータ（例えば、コンテンツ、コンテンツインジケータ、など）にアクセスし、それを操作して、メモリ内で物理的な量として同様に表される他のデータへと変換するように動作可能なものとなり得る。別段の断りのない限り、または議論から明白な場合、「動作可能」という句は、例えば、ＬＴＥネットワーク内でのメッセージの送信、受信、および／または交換など、指定された特徴、機能、処理ステップを、完了するように構成されているか、完了するように動作する機能を備えているか、完了するように動作しているかのうち、少なくとも１つを意味している。本明細書において、「受信する」、「送信する」、「送出する」、転送する」、「決定する」、「検出する」、「割り当てる」、「バンドルする」、「埋め込む」、「命令する」、「アクセスする」、「準備する」、および他の行為または機能上の語、ならびにそれらの様々な時制が使用される場合、かかる行為または機能は、本明細書に記述する、ＬＴＥ要素内の１つ以上のコンピューティングデバイスによって実施または完了され得るということを理解されたい。
【００２４】
本明細書で使用する「実施形態」という語は、本発明の例示的実施形態、または実施例のことを指す。
【００２５】
図１を参照すると、メッセージング構造１の図が示されている。メッセージング構造１は、ロングタームエボリューション（ＬＴＥ）ネットワークが使用する、従来の無線リソース接続（ＲＲＣ）のセットアップ、構成、および解放処理に従うメッセージフローを含んでいる。
【００２６】
明瞭にするため、メッセージング構造１は、３つのグループ、即ち、セットアップおよびメッセージンググループ２（「セットアップグループ」）、構成グループ３、ならびにメッセージングおよび解放グループ４（「解放グループ」）へとグループ化され得る。通例、ＬＴＥネットワークの要素間でショートデータバースト（ＳＤＢ）通信を交換するためには、図１に描写したものと同様のメッセージフローが、それらの要素によって送受信される必要がある。ＬＴＥネットワークの典型的要素は、ＵＥ（例えば、ワイヤレス電話、スマートフォン、タブレット、ラップトップ、ワイヤレスルータ、ワイヤレス計測兼監視デバイス、ロボット、など）、ｅＮＢ（例えば、モバイル基地局設備）、モビリティ管理エンティティ（ＭＭＥ）、サービングゲートウェイ（ＳＧＷ）、およびパケットデータネットワークゲートウェイ（ＰＧＷ）を含むが、これらの各デバイスの間に、追加のデバイスが含まれてもよいことが理解される。こうした追加的デバイスの役割は、図１のメッセージフローの理解には必須ではないことから、明瞭にするため、それらは省略されている。
【００２７】
続けると、図１に描写したメッセージフローは、ＬＴＥネットワークの要素がその処理機能を、個々のメッセージフロー（または略して「メッセージ」）の各々を完了するためだけに割り当てることを必然的に要求するものである、ということを理解されたい。更に、各メッセージは、要素間の貴重な帯域幅を消費する。なお、図１に描写したメッセージは、要素間で交換される、または交換対象のデータ量とは無関係に要求されるのが通例である。別の言い方をすれば、図１のメッセージは、ＬＴＥネットワークの要素間で交換されるために、少量または大量のデータがシークされたときに完了する。大量のデータが交換される場合、これらのメッセージは、ＲＲＣ接続を完了するのに効率的な処理となり得る。しかし、少量のデータが交換されることが意図される場合（多くはＳＤＢ通信を用いる場合）には、図１に描写したメッセージは、こうした通信の交換に関して非効率的な処理となる。
【００２８】
したがって、ＬＴＥネットワーク内で利用可能なリソースをより効率的に使用するために、本発明の実施形態に記述される方法および関連システムは、図１に描写したメッセージ構造を実質的に修正して、ＳＤＢサービスをサポートする（即ち、ＳＤＢ通信を完了させる）。本発明の一実施形態では、例えば、構成グループ３を組成するメッセージ（呼受付制御（ｃａｌｌ  ａｄｍｉｓｓｉｏｎ  ｃｏｎｔｒｏｌ：ＣＡＣ）メッセージとも呼称する）が省略され得、セットアップグループ２および解放グループ４を組成するメッセージが修正され得る。
【００２９】
ＬＴＥネットワーク内で利用可能なリソースをより効率的に用いてＳＤＢサービスをサポートするために使用され得る、本発明による例示的メッセージング構造を紹介するに先立ち、まず、本発明の実施形態によるシステムが紹介される。ここで図２を参照すると、そのシステム２０の簡易ブロック図が描かれている。ある例示的実施形態によれば、システム２０は、例えば、ＵＥ２１、ｅＮＢ２２、ＭＭＥ２３、ＳＧＷ２４、およびＰＧＷ２５を含み得る。システム２０の各要素は、ＬＴＥネットワークの部分をなし得ると共に、本明細書に記述する本発明のメッセージング構造によるメッセージおよびデータを、送信、受信、および／または交換するように構成され得るコンピューティングデバイスを備え得る。より具体的には、システム２０は、多種多様なＳＤＢサービスのほんの一部を挙げると、ＬＴＥ上のショートメッセージサービス（ＳＭＳ）、ＬＴＥ上のインスタントメッセージング（ＩＭ）、ＬＴＥ上の計器の読み取りおよび報告、ならびに／またはＬＴＥ上のマシンツーマシン通信を構成するものなどのＳＤＢ通信を、交換するように動作可能なものとなり得る。
【００３０】
ここで図３を参照すると、本発明のある実施形態によるメッセージング構造１００の図が描かれている。描写したように、メッセージング構造１００は、図１に示した、構成グループ３を組成するメッセージなどのＣＡＣメッセージを使用する必要がない。更に、本発明の１つ以上の実施形態によれば、例えば、図３におけるセットアップグループ２００および解放グループ４００内のメッセージには、図１のグループ２、４内のメッセージから実質的に修正され得るメッセージが含まれてよく、および／または、新たなメッセージがグループ２００、４００へと追加されてよい。
【００３１】
図２に描かれたシステム２０の文脈におけるメッセージング構造１００を、本発明のある実施形態に配置するために、ＵＥ２１は、ＳＤＢ通信（例えば、ＳＭＳメッセージ）を発信させ、それをＬＴＥネットワーク内の要素と交換するように要求することができる。
【００３２】
本発明の１つ以上の実施形態によれば、メッセージング構造１００は、ＬＴＥネットワークの容量を管理してＳＤＢサービスをサポートするための方法または処理（「方法」と総称する）を含むことができる。ＵＥ２１、ｅＮＢ２２、および／またはＭＭＥ２３などの、図２のシステム２０が持つ要素は、そのような方法を実施および／または完了するように動作可能なものとすることができる。
【００３３】
例えば、本発明の一実施形態では、ｅＮＢ２２は、「機能」インジケータを含むメッセージ２０１を、ＵＥ２１も含めた１つ以上のＵＥへと送信（例えば、ブロードキャスト）するように動作可能なものとすることができる。この機能インジケータは、ｅＮＢ２２が、本発明によるＳＤＢ容量を最適化できるということを示している。別の言い方をすれば、機能インジケータは、ｅＮＢ２２は、図３に描かれた（および、例えば本明細書に記述するその他の）メッセージング構造１００の一部を実施および／または完了する機能（例えば、メッセージの送信、送出、転送、および／または受信など）を持つということを示すことができる。関連して、ＵＥ２１は、ｅＮＢ２２から送信された機能インジケータを受信するように動作可能なものとすることができる。このようにすることで、ＵＥ２１は、ｅＮＢ２２も同様にＳＤＢ容量を最適化できるということを検出、または別の方法で決定することができる。送信された機能インジケータの使用は、本発明によるＳＤＢ容量を最適化できるＬＴＥネットワークの一要素を、そのようなネットワークの別の要素と通信可能にする、数多くの方法のうちの１つに過ぎないということを理解されたい。他の方法については、本明細書の他の個所で検討される。また、本明細書に記載する方法の変形形態は、本発明の範囲内のものとみなされる。
【００３４】
したがって、ＵＥ２１は何らかの方法によって、ＬＴＥネットワークのｅＮＢ２２および他の要素が、メッセージング構造１００を実施および／または完了するように動作可能であると決定する。その後、本発明の一実施形態では、ＵＥ２１は、モバイル発信（ＭＯ）ＳＤＢインジケータを含む、ＲＲＣ接続要求メッセージ２０２を、ＵＥ２１からｅＮＢ２２へと、優先度の高い、シグナリング無線ベアラ１（「ＳＲＢ１」）チャネルなどのシグナリング無線ベアラチャネルを使用して（即ち、これを介して）、（例えば）ワイヤレスで送信するように動作可能となり得る。本発明者らの認識では、ＲＲＣ接続要求メッセージ内のＭＯ  ＳＤＢインジケータ、およびその使用は、一意であることに留意されたい。より詳細には、従来のＲＲＣ接続メッセージング構造では、ＲＲＣ接続要求は、「Ｅｓｔａｂｌｉｓｈｍｅｎｔ  Ｃａｕｓｅ」と呼ばれるセクションを含むのが通例である。本発明のある実施形態によれば、ＭＯ  ＳＤＢインジケータは、例えば、ＵＥ２１によって、Ｅｓｔａｂｌｉｓｈｍｅｎｔ  Ｃａｕｓｅセクションへと一意に挿入され得る、一意の値とすることができる。別の実施形態では、ＭＯ  ＳＤＢインジケータは、例えば、ＳＭＳサブインジケータを含むことができる。このＭＯ  ＳＤＢインジケータは、ＵＥ２１が、ＳＤＢ型データを、ＬＴＥネットワーク（この場合では、ｅＮＢ２２およびＭＭＥ２３を含むＬＴＥネットワーク）へと送信または別の方法で送出するつもりであるということを示している。このように、ＳＤＢ型データをＬＴＥネットワークへと送出するつもりであると指示することにより、ＵＥ２１は、ｅＮＢ２２やＭＭＥ２３などのＬＴＥネットワークの要素に対し、後続のＳＤＢ型データ（例えば、コンテンツ）の受信に備えた各自の動作を最適化するための準備時間を与える。
【００３５】
ＭＯ  ＳＤＢインジケータを含むＲＲＣ接続要求メッセージ２０２を、ＵＥ２１からＳＲＢ１チャネル上で（例えば）ワイヤレスで受信すると、ｅＮＢ２２は、そのＲＲＣ接続要求メッセージ２０２に応答して、ＲＲＣ接続セットアップメッセージ２０３を、ＵＥ２１へとワイヤレスで送信するように動作可能となり得る。更になお、ｅＮＢ２２は、ＵＥ２１からのＳＤＢ型データ（例えば、コンテンツ）を含む後続メッセージの伝送のために調整されたアップリンク（即ち、ＵＥ２１からｅＮＢ２２）方向に、より下層のリソースを割り当てるように動作可能となり得る。
【００３６】
ＲＲＣ接続セットアップメッセージ２０３をｅＮＢ２２から受信すると、ＵＥ２１は、例えば、ＭＯ  ＳＤＢコンテンツおよびＭＯ  ＳＤＢインジケータを含む、埋め込まれ連結されたアップリンクなＮＡＳメッセージを含む、ＲＲＣ接続セットアップ完了メッセージ２０４を、（例えば）ワイヤレスで、ｅＮＢ２２へと送信するように動作可能となり得る。本発明の一実施形態では、全てのシグナリング無線ベアラのＲＲＣ接続のセットアップを完了するために、ＭＯ  ＳＤＢコンテンツおよびインジケータを有するアップリンクなＮＡＳメッセージを含むＲＲＣ接続セットアップ完了メッセージ２０４をＵＥ２１から受信すると、ｅＮＢ２１は、ＭＯ  ＳＤＢインジケータを有するＮＡＳメッセージを、そのＮＡＳコンテンツまたはインジケータを分析することなく、メッセージ２０５としてバンドルし、ＭＭＥ２３へと転送するように動作可能となり得る。即ち、ｅＮＢ２２は、ＭＯ  ＳＤＢコンテンツおよびインジケータを含むメッセージ２０４内のペイロードを開かない可能性もある。代わりに、ｅＮＢ２２は、メッセージ２０４およびそのペイロードを、イニシャルＵＥメッセージと共に、メッセージ２０５として、ＭＭＥ２３へと転送するように動作可能となり得る。メッセージ２０５を受信すると、ＭＭＥ２３は、イニシャルＵＥメッセージに加え、ＭＯ  ＳＤＢコンテンツおよびインジケータを含むペイロードを開くように動作可能となり得る。本構造では、この時点でＭＭＥ２３が、ＭＯ  ＳＤＢコンテンツおよびインジケータを読み取り、そのＭＯ  ＳＤＢインジケータから、開かれたペイロード内にＭＯ  ＳＤＢインジケータが存在するということにより、ＵＥ２１がＳＤＢ型データ（コンテンツ）を送出するつもりであるということを決定するように動作可能となり得る。したがって、ｅＮＢ２２にＵＥ２１の意図を通知するために、ＭＭＥ２３は、ＭＯ  ＳＤＢインジケータのコピーを含むイニシャルコンテキストセットアップ要求メッセージ２０６を、ｅＮＢ２２へと送出するように動作可能となり得る。ＭＯ  ＳＤＢインジケータのコピーは、ｅＮＢ２２へのメッセージ２０６内のＭＯ  ＳＤＢインジケータ「フラグ」（例えば、属性値）として存在する。
【００３７】
ｅＮＢ２２は、ＭＯ  ＳＤＢインジケータフラグを含むメッセージ２０６を受信するように動作可能となり得る。本発明の一実施形態によれば、ｅＮＢ２２は更に、そのフラグを読み取り、同フラグが、ＵＥ２１はｅＮＢ２２を含むＬＴＥネットワークへとＳＤＢ型データ（コンテンツ）を送出するつもりであるということを指示していると決定するように動作可能となり得る。
【００３８】
本発明の一実施形態によれば、ｅＮＢ２２はこの時点でＵＥ２１がＳＤＢ型データを送出するつもりであると認識しているので、図１におけるグループ３内のものなど、ＣＡＣメッセージを完了することはもはや必要ではない。こうしたＣＡＣメッセージが必要とされないため、ｅＮＢ２２は、貴重な処理リソースを充てたり、または、こうしたＣＡＣメッセージの結果として、ＵＥ２１にトラフィック無線ベアラ（ＴＲＢ）リソースを割り当てたりする必要がない。ＴＲＢリソースは、一般に、データ無線ベアラ（ＤＲＢ）リソース、または進化型ユニバーサル地上無線アクセスネットワークベアラ（Ｅ−ＲＡＢ）リソースとも呼称され得る。更に、ｅＮＢ２２は、トラフィックベアラの受信および送信のために帯域幅をコミットする必要がない。更に、このときｅＮＢ２２は、ＳＲＢリソースを解放し（例えば、以下で検討するメッセージ４０１を参照のこと）、関連処理を停止することで、これらの共有リソースを、ＳＤＢサービスをサポートする際に必要となり得るものを含めた他の機能や他のＵＥに対し、再割り当て可能となるようにすることができる。要約すると、その正味の効果とは、ＬＴＥネットワークを、ＳＤＢサービスを運用する際に一層効率的なものとしつつも、こうしたサービスや他のサービスに悪影響を及ぼさないものとすることである。
【００３９】
先に示した通り、ｅＮＢ２２は、ＳＲＢリソースおよび確立されたＲＲＣ接続を解放することができる。本発明のある実施形態によれば、ｅＮＢ２２は、ＲＲＣ接続解放メッセージ４０１を、ＵＥ２１へと即座に送出することができる。しかし、代替の実施形態では、メッセージ２０６の受信後、確立されたＲＲＣ接続の解放処理（即ち、ＵＥ２１へのメッセージ４０１の送出）を即座に開始する代わりに、ｅＮＢ２２は、オプションのタイマを始動させる、またはその始動を開始する（「始動」と総称する）ように動作可能となり得る（図３の処理２０７）。このようにすることで、（例えば）ｅＮＢ２２が、タイマの始動後、かつ設定可能な時間期間の終了前に（即ち、この設定可能な時間期間内に）、ダウンリンクのＡＣＫ  ＮＡＳメッセージがｅＮＢ２２において（例えば、ＭＭＥ２３またはＰＧＷ／ＳＭＳ−Ｃ２５から）受信され得ると（または実際にその１つが受信されたと）決定した場合、ｅＮＢ２２は更に、ＲＲＣ接続解放処理を開始するに先立ち（例えば、ＲＲＣ接続解放メッセージ４０１をＵＥ２１へと送出するに先立ち）、このダウンリンクのＡＣＫ  ＮＡＳメッセージを、ＵＥ２１へと転送するように動作可能となり得る。本発明の実施形態では、この設定可能な時間期間は、例えば、１秒から３秒までの時間期間の範囲を含むことができる。
【００４０】
どちらの場合も、即ち、オプションのタイマおよび時間期間が使用されない場合も使用される場合も、このような時間期間がひとたび終了すると（またはＡＣＫ  ＮＡＳメッセージが送出されると）、ｅＮＢ２２は、確立されたＲＲＣ接続および関連リソースの解放処理を開始するために、ＲＲＣ接続解放メッセージ４０１を、ＵＥ２１へと送出するように動作可能となり得る。更に、どちらの場合も、ＣＡＣメッセージが送信または受信される必要はない。
【００４１】
ＵＥ２１に関するＳＤＢ型メッセージ処理が完了しており、確立されたＲＲＣが解放されたことを示すために、ｅＮＢ２２は、ＳＤＢ配信インジケータを含む、ＵＥコンテキスト解放要求メッセージ４０２を、ＭＭＥ２３へと送出するように動作可能となり得る。本発明のある実施形態によれば、ｅＮＢ２２は、こうしたメッセージを、ＳＤＢインジケータを含むイニシャルコンテキストセットアップ要求メッセージ２０６に応答することなしに送出することができる。当業者が認識する通り、従来のＬＴＥ通信およびこうした通信を制御する規格（具体的にはｅＮＢ−ＭＭＥインターフェイスを制御する規格）では、明示的な応答メッセージがイニシャルコンテキストセットアップ要求メッセージに応答して送出されることが必要となる。例えば、イニシャルコンテキストセットアップ応答メッセージまたはイニシャルコンテキストセットアップ失敗メッセージ（即ち、ＣＡＣメッセージ）が、ｅＮＢからＭＭＥへと送出され得る。通例、こうした応答性のメッセージは、メッセージ２０６などのメッセージによって要求されるＴＲＢセットアップ要求のステータスを示している。本発明の一実施形態によれば、こうした応答性のメッセージは送出される必要はない。代わりに、ＳＤＢ配信インジケータを含むＵＥコンテキスト解放要求メッセージ４０２が、ＭＭＥ２３へと送出され得る。
【００４２】
ＲＲＣ接続解放処理を完了するために、幾つかの「ハウスキーピング」メッセージが、ｅＮＢ２２とＭＭＥ２３の間で交換されてよい。例えば、ｅＮＢ２２はＵＥコンテキスト解放命令メッセージ４０３をＭＭＥ２３から受信するように動作可能となり得、その後、ＵＥコンテキスト解放完了メッセージ４０４をＭＭＥ２３へと送出するように動作可能となり得る。
【００４３】
上述した本発明の１つ以上の実施形態では、メッセージ内でＵＥからＬＴＥネットワークへと（またはその逆に）送信されるデータ（例えば、コンテンツ）量は、比較的小さいものと仮定されている。しかし、ときにはこのようにならない場合も存在する。したがって、本発明の一代替的実施形態では、ＵＥ２１およびＬＴＥネットワークの他の要素（例えば、ｅＮＢ２２、ＭＭＥ２３）が、上述した本発明の処理を実施および完了できるにもかかわらず、（例えば）ＵＥ２１が、自身によってｅＮＢ２２へとアップリンクのＮＡＳメッセージで送信されることになるデータ量が閾値を超える可能性があると決定した場合、このＵＥ２１は、ｅＮＢ２２へと、ＭＯ  ＳＤＢインジケータを含まない（即ち、含み入れることをせずに）ＲＲＣ接続要求メッセージを（例えば）ワイヤレスで送信するように動作可能となり得る。本明細書に記述したＭＯ  ＳＤＢインジケータ（即ち、属性値）が、ＲＲＣ接続要求メッセージ２０２とＭＭＥメッセージ２０６のいずれにも存在しないと決定した場合、ｅＮＢ２２は、ＲＲＣ接続をセットアップするために、図１の構成グループ３を組成するものなど、ＣＡＣメッセージを含み入れ、完了するように動作可能となり得る。
【００４４】
図３に示した本発明の１つ以上の実施形態では、ＵＥ２１は、ユーザによってアクティブに操作されるものとも、ユーザの関与なしに動作するものともなり得る。後者の場合、ＵＥ２１と、ＬＴＥネットワークの残りの部分との間の通信は、「マシンツーマシン」通信と呼称され得る。
【００４５】
追加の実施形態は、ＵＥがＬＴＥネットワークで実質的に常時マシンツーマシン通信を交換することになり得ると決定される場合における、ＬＴＥネットワーク内で利用可能なリソースの更なる効率的使用を目標とするものである。本発明の一実施形態では、特定のＵＥがＬＴＥネットワークで実質的に常時マシンツーマシン通信を交換することになり得るかどうかを決定するために、ＭＭＥは、自身の、または関連付けられたデータベースにアクセスするように動作可能となり得る。ＵＥがそのように動作すると決定すれば、ＭＭＥは、イニシャルコンテキストセットアップ要求メッセージ（例えば、図３のメッセージ２０６）を送出することなく、ＵＥコンテキスト解放命令を生成し、ｅＮＢへと転送する（例えば、図４のメッセージ４０３０）ように動作可能となり得る。したがって、ＬＴＥネットワークの要素によって必要とされる処理量が更に低減される。
【００４６】
より詳細には、図４が、本発明の別の実施形態によるメッセージング構造１０００の図を描いている。本明細書に記述する場合を除き、図４に描写したＬＴＥネットワークの要素、即ち、ＵＥ２１０、ｅＮＢ２２０、ＭＭＥ２３０、ＳＧＷ２４０、およびＰＧＷ／ＳＭＳ−Ｃ２５０は、図３に描写したＬＴＥネットワークの要素と同様に機能することができる。更に、セットアップメッセージンググループ２０００は、図３に示したグループ２００と同様のメッセージ、および修正されたメッセージを含むことができる。例えば、２０１０から２０５０までのメッセージの交換は、図３における２０１から２０５までのメッセージの交換と同様のものに、本明細書で検討する特定の修正を加えたものとなり得る。よって、上記の記述を繰り返すのではなく、図３におけるＵＥ２１、ｅＮＢ２２、およびＭＭＥ２３の間での、２０１から２０５までのメッセージの交換に関する記述が、本明細書で検討する修正についての特筆すべき含み入れを加えた上で、ＵＥ２１０、ｅＮＢ２２０、およびＭＭＥ２３０の間でメッセージ２０１０からメッセージ２０５０を交換する、図４に示す実施形態の記述へと組み込まれる。例えば、図３のメッセージ２０２、２０４、および２０５は、ＭＯ  ＳＤＢインジケータおよびＳＤＢコンテンツを含む一方、図４のメッセージ２０２０、２０４０、および２０５０は、本明細書で説明するように、ＳＤＢコンテンツは含んでよいが、ＳＤＢインジケータは含んでも含まなくてもよい。
【００４７】
図４に示す実施形態によれば、ＭＭＥ２３０は、ＵＥ２１０がマシンツーマシン通信を使用して、ＬＴＥネットワークの残りの要素と実質的に常時通信を行う可能性があるかどうかを決定することが可能となり得る。したがって、図３のメッセージング構造１００において描写したのと同じメッセージを使用する必要がなくなり得る。例えば、ＵＥ２１０は、従来のＵＥであると想定する。即ち、ＵＥ２１０は、ＭＯ  ＳＤＢインジケータを送信（または受信）することができないものとなり得る。これを認識し、本発明者らは、ＵＥ２１０がＭＯ  ＳＤＢインジケータを送信する機能を持たなくとも、ＳＤＢ型データ（例えば、コンテンツ）を送信するための代替手段を発見した。
【００４８】
より詳細には、本発明の一実施形態では、図４に示す２０２０から２０５０までのメッセージは、それらがＭＯ  ＳＤＢインジケータが利用されないように修正され得るということを除き、図３に示す２０１から２０５までのメッセージと同様のものとなり得る。更に、ＭＭＥ２３０が、図３のメッセージ２０６などのイニシャルコンテキストセットアップメッセージを、ｅＮＢ２２０へと送出する必要もなくなり得る。代わりに、本発明の一実施形態によれば、ＭＯ  ＳＤＢインジケータの欠如をカバーするために、ＭＭＥ２３０が、例えば、アップリンクのＮＡＳメッセージでＵＥ２１０からＬＴＥネットワーク（例えば、ｅＮＢ２２０）へと送信されている、または送信されることになる、推定されるデータ量またはデータ速度（例えば、コンテンツ、コンテンツ速度）が、閾値を超え得るかどうかを、ＵＥ２１０からの以前の送信に基づいて決定するように動作可能となり得る。閾値は、ＵＥ２１０が実質的にマシンツーマシン通信を使用して動作しているかどうか、したがって、ＳＤＢ型データを送信していた可能性が最も高いかどうかを示す、あるレベルに設定することができる。
【００４９】
例えば、一実施形態では、ＵＥ２１０がアップリンクのＮＡＳメッセージを閾値でまたは閾値よりも下でｅＮＢ２２０へと送信している場合、ＭＭＥ２３０は、ＵＥ２１０がＬＴＥネットワークと通信するために実際にマシンツーマシン通信を使用しているということを決定するように動作可能となり得る。よって、ＭＭＥ２３０は、例えば、ＵＥ２１０が従来のＵＥともなり得ることから、ＵＥ２１０がＭＭＥ２３０によって最終的に受信されるメッセージ内にＭＯ  ＳＤＢインジケータを含み入れない可能性があるにもかかわらず、ＵＥ２１０がＳＤＢ型データを送信していると決定するように動作可能となり得る。本発明の一実施形態では、ＭＭＥ２３０は、ＵＥ（例えば、ＵＥ２１０）によって送信される実際のデータ量を、継時的に測定するように動作可能となり得る。これにより、ＬＴＥネットワークは、ＵＥ２１０がＭＯ  ＳＤＢインジケータをメッセージ２０４０、２０５０内に含み入れない可能性があるにもかかわらず、ＳＤＢ型データを送信／送出／転送／受信などするための、本明細書に記述した本発明のメッセージング構造を、実際に測定されたデータを用いて適用することが可能となる。
【００５０】
反対に、データ量が閾値を上回る場合、ＭＭＥ２３０は、ＵＥ２１０がＬＴＥネットワークと通信するために実際にマシンツーマシン通信を使用していないということを決定するように動作し得るものとすることができる。
【００５１】
ＭＭＥ２３０は、ＵＥ２１０がＬＴＥネットワークと通信するためにマシンツーマシン通信を使用中であると決定した場合、ＳＤＢ配信インジケータを含むＵＥコンテキスト解放命令メッセージ４０３０を、ｅＮＢ２２０へと送信するように動作可能となり得る。このような実施形態では、イニシャルコンテキストセットアップ要求メッセージ（図３のメッセージ２０６）がほとんど必要でないため、ｅＮＢ２２０は何も受信しない。代わりに、ｅＮＢ２２０は、ＭＭＥ２３０から送信されたＵＥコンテキスト解放命令メッセージ４０３０を受信するように動作可能となり得る。更になお、図１に示したグループ３のメッセージなど、追加のＣＡＣメッセージの必要はない。
【００５２】
更に別の実施形態では、少なくともＵＥ２１０からＬＴＥネットワーク（例えば、ｅＮＢ２２０）へと送信される現在または将来のアップリンクのＮＡＳメッセージ内の推定されるデータ（例えば、コンテンツ）量が閾値を超える可能性があるかどうかを決定する際にＭＭＥ２３０を支援するために、ＭＭＥ２３０は、例えば、ＵＥ２１０（およびその他のＵＥ）のプロファイルと、ＵＥ２１０からｅＮＢ２２０へと送信されたメッセージ内で以前に転送されたデータ量の測定値の概要とを含むデータベース（例えば、ＭＭＥの一部、または別個にＭＭＥと関連付けられたある部分）にアクセスするように動作可能となり得る。例えば、ＭＭＥ２３０は、現在または将来のＵＥ２１０からの送信が閾値を超え得るか否かを予測するために、以前に受信した送信を、閾値と比較することができる。ＭＭＥ２３０は、プロファイル内の以前の送信が閾値を超えないと判定した場合、ＵＥ２１０がＬＴＥネットワークと通信するためにＳＤＢ型データを実質的に含むマシンツーマシン通信を使用中であると決定することができる。あるいは、ＭＭＥ２３０は、現在または将来のアップリンクのＮＡＳメッセージでＵＥ２１０からｅＮＢ２３０へと送信されることになると推定されるデータ量が、閾値を超え得ないと決定するように動作可能となり得る。
【００５３】
したがって、先に記述したように、ＭＭＥ２３０は、イニシャルコンテキストセットアップメッセージをｅＮＢ２２０へと送出することなく、確立されたＲＲＣ接続およびその関連リソースを解放するために、ｅＮＢ２２０へとＵＥコンテキスト解放命令メッセージ４０３０を送信するように動作可能となり得る。ＵＥコンテキスト解放命令メッセージ４０３０の受信後、ｅＮＢ２２０は、図１のグループ３内のメッセージなどのＣＡＣメッセージを使用することを必要とせずにＲＲＣ接続を解放するように動作可能となり得る。
【００５４】
更になお、図３に示した実施形態と同様、確立されたＲＲＣ接続を解放する処理を即座に開始する代わりに、ｅＮＢ２２０は、オプションのタイマを始動するように動作可能となり得る。このようにすることで、（例えば）ｅＮＢ２２０が、タイマの始動後、かつ設定可能な時間期間の終了前に（即ち、この設定可能な時間期間内に）、ダウンリンクのＡＣＫ  ＮＡＳメッセージ２０７０が、ｅＮＢ２２０において（例えば、ＭＭＥ２３０またはＰＧＷ／ＳＭＳ−Ｃ２５０から）受信され得ると（または実際にその１つが受信されたと）決定した場合、ｅＮＢ２２０は更に、ＲＲＣ接続解放処理を完了するに先立ち（例えば、ＲＲＣ接続解放メッセージを送出するに先立ち）、このダウンリンクのＡＣＫ  ＮＡＳメッセージ２０７０を、メッセージ２０７１として、ＵＥ２１０へと転送するように動作可能となり得る。本発明の１つ以上の実施形態では、この設定可能な時間期間は、例えば、１秒から３秒までの時間期間の範囲を含むことができる。
【００５５】
どちらの場合も、即ち、オプションのタイマおよび時間期間が使用されない場合も、またはこうした時間期間が一旦使用されかつ期限切れである（あるいは、ＡＣＫ  ＮＡＳメッセージが送出された）場合も、ｅＮＢ２２０は、ＲＲＣ接続を、やはり追加のＣＡＣメッセージを用いることなく解放するために、ＲＲＣ接続解放メッセージ４０１０をＵＥ２１０へと送出するように動作可能となり得る。
【００５６】
図３および図４の実施形態は、その他の点でも異なり得る。例えば、図４に記述したように、ｅＮＢ２２０は、ＵＥコンテキスト解放要求メッセージをＭＭＥ２３０へと送出する必要がない。これは、このＭＭＥが、既にＵＥコンテキスト解放命令メッセージ４０３０を送出しているためである。代わりに、ＲＲＣ接続解放処理を完了するために、ｅＮＢ２２０は、ＵＥコンテキスト解放完了メッセージ４０４０を、ＭＭＥ２３０へと送出するように動作可能となり得る。
【００５７】
上の記述では従来のＵＥの使用が含まれ得たが、図４に描写したメッセージング構造は、本発明のＵＥ、即ち、ＭＯ  ＳＤＢインジケータまたは同様のＳＤＢインジケータを送信（および受信）するように動作可能なＵＥに対しても、適用可能であるということに留意されたい。
【００５８】
図３および図４に示した実施形態では、ＵＥが、ＬＴＥネットワークの要素（本発明のＵＥまたは従来のＵＥのいずれか）に向けたＳＤＢ型データの送信を開始するものと仮定されていた。本発明の別の実施形態では、ＬＴＥネットワークの別の要素が、ＵＥに向けたＳＤＢ型データ（例えば、コンテンツ）の送信を開始することが可能である。
【００５９】
ここで図５を参照すると、メッセージ構造５０００の図が描かれており、ここではＳＤＢ型データ（例えば、コンテンツ）の送信が、ＵＥではなくＬＴＥネットワークの要素から開始され得る。図５に描写したＬＴＥネットワークの要素、即ち、ＵＥ２１００、ｅＮＢ２２００、ＭＭＥ２３００、ＳＧＷ２４００、およびＰＧＷ／ＳＭＳ−Ｃ２５００は、以下に記述する説明の追加により、図３および図４に描写したＬＴＥネットワークの要素と同様に機能することができる。説明を平明なものとするために、以下の検討では、ｅＮＢ２２００からのメッセージの送信、またはｅＮＢ２２００におけるメッセージの受信に焦点を当てる。但し、関連メッセージは、ＵＥ２１００またはＭＭＥ２３００によって受信される、あるいは、ＵＥ２１００またはＭＭＥ２３００においてそれぞれ発信するということを認識されたい。
【００６０】
本発明の一実施形態によれば、例えばＭＭＥ２３００などのＬＴＥネットワークの要素は、ＳＤＢ最適化のサポートが可能であるということを、ＵＥ２１００に示すことができる（即ち、構成メッセージを必要としない）。例えば、ｅＮＢ２２００は、ＭＭＥベースのＳＤＢ型インジケータを含むページングメッセージ５０１５ａを、ＭＭＥ２３００から受信するように動作可能となり得る。こうしたページングメッセージを受信すると、ｅＮＢ２２００は更に、ＭＭＥベースのＳＤＢインジケータを読み取り、そのインジケータが、例えば、ＭＭＥ２３００はＳＤＢ型データをＵＥ２１００へと送出するつもりであるということを示していると決定するように動作可能となり得る。
【００６１】
ページングメッセージ５０１５ａの受信後（例えば、受信に応答して、受信してから、など）、ｅＮＢ２２００は更に、ＳＤＢインジケータを含み得るｅＮＢページングメッセージ５０１５ｂを、ＵＥ２１００へと送信または配信するように動作可能となり得る。ｅＮＢページングメッセージ５０１５ｂは、そのページングメッセージ５０１５ｂに関連付けられたｅＮＢページングエリア内、かつＭＭＥ２３００の追跡エリア内にＵＥ２１００が存在することを条件として、ＵＥ２１００によって読み取られ得る。
【００６２】
その後、ｅＮＢ２２００は、ＲＲＣ接続要求メッセージ５０２０を、ＵＥ２１００からＳＲＢチャネル上で（例えば）ワイヤレスで受信し、それに応答して、ＲＲＣ接続セットアップメッセージ５０３０をＵＥ２１００へと送信するように動作可能となり得る。更に、ｅＮＢ２２２０は、ＴＲＢリソースをＵＥ２１００に割り当てることなくＬＴＥネットワークからＵＥ２１００へのＳＤＢ型データの送信をサポートするために、ダウンリンクリソースを割り当て、メッセージ優先度を調節するように動作可能となり得る。続けると、ｅＮＢ２２００は、その後にＲＲＣ接続セットアップ完了メッセージ５０４０を、ＵＥ２１００から（例えば）ワイヤレスで受信することができる。この時点で、シグナリング無線ベアラのためのＲＲＣ接続が、ＵＥ２１００に関してセットアップされている。このとき、ｅＮＢ２２００は、イニシャルＵＥメッセージ５０５０をＭＭＥ２３００へと送出し、ＳＤＢ型データ（例えば、コンテンツ）を含むダウンリンクのＮＡＳメッセージ５０６０をＭＭＥ２３００から受信し、そのダウンリンクのＮＡＳメッセージをメッセージ５０６１としてＵＥ２１００へと転送するように動作可能となり得る。
【００６３】
本発明によれば、ｅＮＢ２２００は、ＳＤＢコンテンツを含むメッセージ５０６０内のペイロードを開く必要がない。代わりに、ｅＮＢ２２００は、メッセージ５０６０およびそのペイロードを、メッセージ５０６１としてＵＥ２１００へと転送するように動作可能となり得る。メッセージ５０６１の受信後、ＵＥ２１００は、ＳＤＢコンテンツを含むペイロードを開き、そのＳＤＢコンテンツを読み取るように動作可能となり得る。
【００６４】
図３および図４に示した実施形態のように、確立されたＲＲＣ接続の解放の開始に先立って従来のＣＡＣメッセージを交換するというのではなく、ＭＭＥベースのＳＤＢ型インジケータがメッセージ５０１５ａ内に存在していることによって、こうした構成メッセージはＲＲＣ接続解放処理（メッセージ５４０１から５４０３）が開始し得るよりも前に交換される必要がない。これらのメッセージが不要となることにより、実質的なＬＴＥネットワークリソースの節約が可能となる。
【００６５】
したがって、ダウンリンクのＮＡＳ命令メッセージ５４０１をＭＭＥ２３００から受信すると、ｅＮＢ２２００は、ＲＲＣ接続解放メッセージ５４０２をＵＥ２１００へと、ＵＥコンテキスト解放完了メッセージ５４０３をＭＭＥ２３００へと送出するように動作可能となり得る。
【００６６】
更になお、図３および図４に示した実施形態を用いた場合と同様に、ＡＣＫメッセージは、ＵＥ２１００とＭＭＥ２３００の間でのメッセージ交換が完了する前に、ＵＥ２１００からｅＮＢ２２００によって受信され得る。図３および図４の実施形態では、ダウンリンクのＡＣＫ信号は、ダウンリンクのＳＤＢメッセージ（即ち、図３および図４のメッセージ２７０１）を含む、双方向のラウンドトリップメッセージ交換の完了前に、受信されている可能性がある。反対に、図５によって示された実施形態では、アップリンクのＡＣＫ信号５０８０が、ＵＥ２１００とＭＭＥ２３００の間における、双方向のラウンドトリップメッセージ交換の完了前に受信され得る。したがって、確立されたＲＲＣ接続を解放する処理を即座に開始する代わりに、ｅＮＢ２２００は、オプションのタイマを始動するように動作可能となり得る。このようにすることで、（例えば）ｅＮＢ２２００が、タイマの始動後、かつ設定可能な時間期間の終了前に（即ち、この設定可能な時間期間内に）、アップリンクのＡＣＫ  ＮＡＳメッセージ５０８０がｅＮＢ２２００において（例えば、ＵＥ２１００から）受信され得ると（または実際にその１つが受信されたと）決定した場合、ｅＮＢ２２００は更に、ＲＲＣ接続解放処理を完了するに先立ち（例えば、ＲＲＣ接続解放メッセージをＵＥ２１００へと送出するに先立ち）、このアップリンクのＡＣＫ  ＮＡＳメッセージ５０８０を、メッセージ５０８１として、ＭＭＥ２３００へと転送するように動作可能となり得る。本発明の１つ以上の実施形態では、この設定可能な時間期間は、例えば、１秒から３秒までの時間期間の範囲を含むことができる。
【００６７】
先に記述した通り、図５のＬＴＥネットワークの要素は、まずＵＥ２１００とｅＮＢ２２００に対し、ＭＭＥ２３００からｅＮＢ２２００へと送出されたページングメッセージ５０１５ａ内にＭＭＥベースのＳＤＢ型インジケータを含み入れることによって、ＳＤＢ型データを送信する意図があるということを示してから、このＳＤＢ型データをＵＥ２１００へと送信することができる。
【００６８】
１つ以上の実施形態では、ＳＤＢ型データは、ＭＭＥベースのＳＤＢ型インジケータをページングメッセージ５０１５ａに含み入れることなく、ＬＴＥネットワーク内の要素からＵＥ２１００へと送信され得る。図５に示した一実施形態によれば、ＭＭＥ２３００は、ＵＥ２１００へと送出されることが意図される保留データ量が、通常はＵＥ２１００または他のＵＥに向けたＳＤＢ型データの送信に関連付けられる設定閾値（即ち、レベル）を下回る可能性があり、よって保留データがＳＤＢ型データとして送出され得ると示していると決定することが可能となり得る。一実施形態では、保留データの送出後、ＭＭＥ２３００は、例えば、本明細書で更に記述されるように、ＵＥコンテキスト解放命令メッセージをｅＮＢ２２００へと送出することにより、ｅＮＢ２２００の動作を最適化するために、ｅＮＢ２２００に確立されたＲＲＣ接続を閉じることを命令するように動作可能となり得る。ＵＥ２１００を従来のＵＥとし得る一方で、その他のＵＥは例えば、ＳＤＢインジケータを送出し、ＳＤＢ型データを受信できる本発明のＵＥとすること（またはその逆）も可能である。
【００６９】
より詳細には、ＭＭＥ２３００は、閾値を設定し、次いで保留データ量がその閾値を下回るかどうかを判定するために、ＳＤＢ型データを受信できる本発明のＵＥのプロファイルを含むデータベースにアクセスするように動作可能となり得る。一実施形態では、閾値は、通常はプロファイルされた本発明のＵＥへと送出される、データ量に関連付けられ得る。したがって、ＭＭＥが保留データ量が閾値を下回ると判定した場合、その保留データはＳＤＢ型データである可能性が最も高く、ＭＭＥは、同保留データをＳＤＢ型データとしてｅＮＢ２２００へと送出するように動作可能となり得る。このとき、ｅＮＢ２２００は、こうしたデータを特定のＵＥ２１００に対し、ＳＤＢインジケータを用いることなく送出するように動作可能となり得る。別の言い方をすれば、ＭＭＥ２３００は、従来のＵＥへと送出されることが意図される保留データ量が通常は本発明のＵＥへと送出されるデータ量に関連付けられた設定閾値を下回ると判定した場合、ＳＤＢ型データを、ＵＥ２１００などの従来のＵＥに対し、ＭＭＥベースのＳＤＢインジケータを用いることなく送出するように動作可能となり得る。ＵＥ２１００は、従来のＵＥでも、本発明のＵＥでもあり得ることに留意されたい。更に、ＭＭＥ２３００は、ひとたびＳＤＢデータが送出された可能性があると決定すると、例えば、初めにイニシャルコンテキストセットアップ要求メッセージをｅＮＢ２２００へと送出するということをせずに、ＵＥコンテキスト解放命令メッセージをｅＮＢ２２００へと送出して、その動作を最適化する準備を行うように、更に動作可能となり得る。
【００７０】
ＭＭＥ２３００が、保留データをＳＤＢ型データとしてＵＥ２１００へと送出するという決定を下した場合、ＭＭＥ２３００、ｅＮＢ２２００、およびＵＥ２１００は、ＳＤＢインジケータが使用されないという点を除き、上述した５０２０から５４０３までのメッセージと同様のメッセージを交換するように動作可能となり得、またＭＭＥ２３００は、初めにイニシャルコンテキストセットアップ要求メッセージをｅＮＢ２２００へと送出することなく、ＵＥコンテキスト解放命令メッセージ５４０１をｅＮＢ２２００へと送出するように動作可能となる。一実施形態によれば、ＵＥコンテキスト解放命令メッセージ５４０１をＭＭＥ２３００から受信した後、ｅＮＢ２２０は、図１のグループ３内のものなどの構成メッセージを使用することを必要とせずに、確立されたＲＲＣ接続の解放を開始するように動作可能となり得る。
【００７１】
反対に、保留データ量が閾値を上回る場合、ＭＭＥ２３００は、保留データをＳＤＢ型データとして送出し得ない。代わりに、保留データの送信には、従来のメッセージング構造によるＴＲＢが使用されてよい。即ち、保留データの送信は、例えば、ＣＡＣメッセージを含む、図１のグループ３のものなどの構成メッセージが完了するまでは開始され得ない。
【００７２】
一実施形態では、ＭＭＥ２３００は、ＵＥ（例えば、ＵＥ２１００）へと送信されるデータ量を、継時的に測定するように動作可能となり得る。これにより、ＬＴＥネットワークは、ページングメッセージ５０１５ａがＳＤＢ型インジケータを含まない可能性があるにもかかわらず、本明細書に記述した本発明のメッセージング構造を適用するために、実際に測定されたデータを使用することができる。
【００７３】
以上の記述には、本発明の方法およびシステムに関する幾つかの例を記載したが、その変形形態も本発明の範囲に包含され得る。例えば、ワイヤレスで送信または受信されると記述した特徴、機能、または処理は、ネットワークのワイヤードな要素を介して受信または送信されてもよい。とはいえ、本発明の範囲は、続く特許請求の範囲によって、最も正しく定められるものである。
【図１】
0006346288.tif 000002
【図２】
0006346288.tif 000003
【図３】
0006346288.tif 000004
【図４】
0006346288.tif 000005
【図５】
0006346288.tif 000006